(57)【要約】【課題】  Ｈ−ＰＣＲＦとＶ−ＰＣＲＦとの間でポリシーが合致せず、それに伴うループが発生する可能性がある。【解決手段】  本発明の移動通信システムは、ホームネットワークに加入している移動端末装置が、訪問先ネットワークにローミングする、移動通信システムであって、訪問先ネットワークのポリシー及び課金ルール機能であるＶ−ＰＣＲＦを制御する、Ｖ−ＰＣＲＦ制御手段と、ホームネットワークのポリシー及び課金ルール機能であるＨ−ＰＣＲＦを制御する、Ｈ−ＰＣＲＦ制御手段と、を包含し、Ｖ−ＰＣＲＦ制御手段がＨ−ＰＣＲＦのポリシー情報を許容しなかった場合、Ｈ−ＰＣＲＦ制御手段が、Ｈ−ＰＣＲＦのポリシー情報の代わりに、Ｖ−ＰＣＲＦのポリシー情報に基づいた情報をＶ−ＰＣＲＦ制御手段に返信し、Ｖ−ＰＣＲＦ制御手段とのネゴシエーションを確立する。【選択図】      図１
2016048836.tif 000002
【特許請求の範囲】
【請求項１】
ホームネットワークに加入している移動端末装置が、訪問先ネットワークにローミングする、移動通信システムであって、
前記訪問先ネットワークのポリシー及び課金ルール機能であるＶ−ＰＣＲＦを制御する、Ｖ−ＰＣＲＦ制御手段と、
前記ホームネットワークのポリシー及び課金ルール機能であるＨ−ＰＣＲＦを制御する、Ｈ−ＰＣＲＦ制御手段と、を包含し、
前記Ｖ−ＰＣＲＦ制御手段が前記Ｈ−ＰＣＲＦのポリシー情報を許容しなかった場合、前記Ｈ−ＰＣＲＦ制御手段が、前記Ｈ−ＰＣＲＦのポリシー情報の代わりに、前記Ｖ−ＰＣＲＦのポリシー情報に基づいた情報を前記Ｖ−ＰＣＲＦ制御手段に返信し、前記Ｖ−ＰＣＲＦ制御手段とのネゴシエーションを確立する、移動通信システム。
【請求項２】
前記Ｖ−ＰＣＲＦのポリシー情報に基づいた情報が、前記Ｖ−ＰＣＲＦのポリシー情報と同じである、請求項１に記載の移動体通信システム。
【請求項３】
前記ポリシー情報が、課金ルールである、請求項１または２に記載の移動体通信システム。
【請求項４】
前記訪問先ネットワークに接続した前記移動端末装置と、前記ホームネットワークに接続した前記移動端末装置の通信の接続先である接続装置が、前記Ｖ−ＰＣＲＦ制御手段と前記Ｈ−ＰＣＲＦ制御手段を介して接続する、請求項１乃至３のいずれかに記載の移動体通信システム。
【請求項５】
ホームネットワークに加入している移動端末装置が、訪問先ネットワークにローミングし、前記訪問先ネットワークのポリシー及び課金ルール機能であるＶ−ＰＣＲＦが前記ホームネットワークのポリシー及び課金ルール機能であるＨ−ＰＣＲＦのポリシー情報を許容しなかった場合、前記Ｈ−ＰＣＲＦが、前記Ｈ−ＰＣＲＦのポリシー情報の代わりに、Ｖ−ＰＣＲＦのポリシー情報に基づいた情報を前記Ｖ−ＰＣＲＦに返信し、前記Ｖ−ＰＣＲＦとのネゴシエーションを確立する、ネゴシエーション確立方法。
【請求項６】
前記Ｖ−ＰＣＲＦのポリシー情報に基づいた情報が、前記Ｖ−ＰＣＲＦのポリシー情報と同じである、請求項５に記載のネゴシエーション確立方法。
【請求項７】
前記ポリシー情報が、課金ルールである、請求項５または６に記載のネゴシエーション確立方法。
【請求項８】
ホームネットワークに加入している移動端末装置が、訪問先ネットワークにローミングし、前記訪問先ネットワークのポリシー及び課金ルール機能であるＶ−ＰＣＲＦが前記ホームネットワークのポリシー及び課金ルール機能であるＨ−ＰＣＲＦのポリシー情報を許容しなかった場合、前記Ｈ−ＰＣＲＦが、前記Ｈ−ＰＣＲＦのポリシー情報の代わりに、Ｖ−ＰＣＲＦのポリシー情報に基づいた情報を前記Ｖ−ＰＣＲＦに返信し、前記Ｖ−ＰＣＲＦとのネゴシエーションを確立する処理、をコンピュータに実行させるプログラム。
【請求項９】
前記Ｖ−ＰＣＲＦのポリシー情報に基づいた情報が、前記Ｖ−ＰＣＲＦのポリシー情報と同じである、請求項８に記載のプログラム。
【請求項１０】
前記ポリシー情報が、課金ルールである、請求項８または９に記載のプログラム。
【発明の詳細な説明】
【技術分野】
【０００１】
本発明は、移動通信システム、ネゴシエーション確立方法、及び、プログラムに関する。
【背景技術】
【０００２】
第３世代移動体通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）においては、移動体端末等のローミング時におけるポリシー情報の決定方法について明確に定義されていない。このため、ローミング先とホーム側のＰＣＲＦ（Ｐｏｌｉｃｙ  ａｎｄ  Ｃｈａｒｇｉｎｇ  Ｒｕｌｅｓ  Ｆｕｎｃｔｉｏｎ：ポリシー及び課金ルール機能）の間で、ポリシー情報の取り決めルールが必要となる。
【０００３】
特許文献１は、ローミング端末により訪問されたネットワーク内のＰＣＲＦ、及び、当該端末のホームネットワーク内のＰＣＲＦが、各々の役割を判定するための手段及び方法について記載している。
【０００４】
特許文献２は、移動通信システムにおける各ネットワークのポリシーの自由度を高めたシステム構成について記載している。
【先行技術文献】
【特許文献】
【０００５】
【特許文献１】特開２０１３−５０２７８６号公報
【特許文献２】特開２０１２−０５５００８号公報
【発明の概要】
【発明が解決しようとする課題】
【０００６】
上記２つの文献では、Ｈ−ＰＣＲＦ（Ｈｏｍｅ  Ｐｏｌｉｃｙ  ａｎｄ  Ｃｈａｒｇｉｎｇ  Ｒｕｌｅｓ  Ｆｕｎｃｔｉｏｎ）は、Ｖ−ＰＣＲＦ（Ｖｉｓｉｔｅｄ  Ｐｏｌｉｃｙ  ａｎｄ  Ｃｈａｒｇｉｎｇ  Ｒｕｌｅｓ  Ｆｕｎｃｔｉｏｎ）から通知されたポリシー情報に対して自身のポリシー情報を通知する。しかし、Ｈ−ＰＣＲＦとＶ−ＰＣＲＦとの間でポリシーが合致しない場合、それに伴い、双方から同じポリシーの提示が繰り返される状態であるループが発生しネゴシエーションの成立を妨げる可能性がある、という問題がある。
【０００７】
特許文献１では、Ｈ−ＰＣＲＦとＶ−ＰＣＲＦとの間で交渉（以下、ネゴシエーションとも記載）の選択肢が用意されているものの、ネゴシエーション時にループが発生する可能性は存在する。
【０００８】
特許文献２では、各ネットワークのポリシーの自由度を高めてはいるが、ネゴシエーション時にループが発生する可能性は依然として残る。
【０００９】
したがって、本発明の目的は、ローミング時において、上述した課題である、ローミング先のＶ−ＰＣＲＦとホーム側のＨ−ＰＣＲＦとの間でループが発生することなく、ネゴシエーションを確立させるシステム及び方法を提供することにある。
【課題を解決するための手段】
【００１０】
本発明の一実施態様の移動通信システムは、ホームネットワークに加入している移動端末装置が、訪問先ネットワークにローミングする、移動通信システムであって、前記訪問先ネットワークのポリシー及び課金ルール機能であるＶ−ＰＣＲＦを制御する、Ｖ−ＰＣＲＦ制御手段と、前記ホームネットワークのポリシー及び課金ルール機能であるＨ−ＰＣＲＦを制御する、Ｈ−ＰＣＲＦ制御手段と、を包含し、前記Ｖ−ＰＣＲＦ制御手段が前記Ｈ−ＰＣＲＦのポリシー情報を許容しなかった場合、前記Ｈ−ＰＣＲＦ制御手段が、前記Ｈ−ＰＣＲＦのポリシー情報の代わりに、前記Ｖ−ＰＣＲＦのポリシー情報に基づいた情報を前記Ｖ−ＰＣＲＦ制御手段に返信し、前記Ｖ−ＰＣＲＦ制御手段とのネゴシエーションを確立する。
【００１１】
本発明の一実施態様のネゴシエーション確立方法は、ホームネットワークに加入している移動端末装置が、訪問先ネットワークにローミングし、前記訪問先ネットワークのポリシー及び課金ルール機能であるＶ−ＰＣＲＦが前記ホームネットワークのポリシー及び課金ルール機能であるＨ−ＰＣＲＦのポリシー情報を許容しなかった場合、前記Ｈ−ＰＣＲＦが、前記Ｈ−ＰＣＲＦのポリシー情報の代わりに、Ｖ−ＰＣＲＦのポリシー情報に基づいた情報を前記Ｖ−ＰＣＲＦに返信し、前記Ｖ−ＰＣＲＦとのネゴシエーションを確立する。
【００１２】
本発明の一実施態様のコンピュータプログラムは、ホームネットワークに加入している移動端末装置が、訪問先ネットワークにローミングし、前記訪問先ネットワークのポリシー及び課金ルール機能であるＶ−ＰＣＲＦが前記ホームネットワークのポリシー及び課金ルール機能であるＨ−ＰＣＲＦのポリシー情報を許容しなかった場合、前記Ｈ−ＰＣＲＦが、前記Ｈ−ＰＣＲＦのポリシー情報の代わりに、Ｖ−ＰＣＲＦのポリシー情報に基づいた情報を前記Ｖ−ＰＣＲＦに返信し、前記Ｖ−ＰＣＲＦとのネゴシエーションを確立する処理、をコンピュータに実行させる。
【発明の効果】
【００１３】
本発明によれば、ローミング時において、ローミング先のＶ−ＰＣＲＦとホーム側のＨ−ＰＣＲＦとの間でループが発生することなくネゴシエーションを確立させることができる。
【図面の簡単な説明】
【００１４】
【図１】図１は、本発明の第一の実施形態に係る、移動通信システムの構成の一例を示すブロック図である。
【図２】図２は、ループが発生する場合の移動通信システムの動作を示すタイムチャートである。
【図３】図３は、移動通信システムの動作の一例を示すタイムチャートである。
【図４】図４は、Ｖ−ＰＣＲＦポリシー格納部が格納するポリシー情報の一例を示す図である。
【図５】図５は、Ｈ−ＰＣＲＦポリシー格納部が格納するポリシー情報の一例を示す図である。
【図６】図６は、移動通信システムの動作を示すフローチャートである。
【図７】図７は、本発明の第二の実施形態に係る、移動通信システムの構成の一例を示すブロック図である。
【発明を実施するための形態】
【００１５】
発明を実施するための第一の形態について、図面を参照して詳細に説明する。
【００１６】
図１は、本発明の第一の実施形態に係る、移動通信システム１０の構成の一例を示すブロック図である。
【００１７】
移動通信システム１０は、訪問先ネットワーク１１、ホームネットワーク１２、ネットワーク１３、移動端末装置１４、及び、接続装置１５を包含する。
【００１８】
訪問先ネットワーク１１は、訪問先装置１１０を包含する。訪問先装置１１０は、Ｖ−ＰＣＲＦ制御部１１１、及び、Ｖ−ＰＣＲＦポリシー格納部１１２を包含する。
【００１９】
Ｖ−ＰＣＲＦ制御部１１１は、訪問先ネットワーク１１の課金ルールのポリシーであるＰＣＲＦ（ポリシー及び課金ルール機能）を制御する。Ｖ−ＰＣＲＦポリシー格納部１１２は、Ｖ−ＰＣＲＦのポリシーを表すポリシー情報を格納する。
【００２０】
ホームネットワーク１２は、ホーム側装置１２０を包含する。ホーム側装置１２０は、Ｈ−ＰＣＲＦ制御部１２１、及び、Ｈ−ＰＣＲＦポリシー格納部１２２を包含する。
【００２１】
Ｈ−ＰＣＲＦ制御部１２１は、ホームネットワーク１２の課金ルールのポリシーであるＰＣＲＦ（ポリシー及び課金ルール機能）を制御する。Ｈ−ＰＣＲＦポリシー格納部１２２は、Ｈ−ＰＣＲＦのポリシーを表すポリシー情報を格納する。
【００２２】
ここで、Ｖ−ＰＣＲＦ制御部１１１、及び、Ｈ−ＰＣＲＦ制御部１２１は、例えば、論理回路等のハードウェア回路で構成される。
【００２３】
また、Ｖ−ＰＣＲＦポリシー格納部１１２、及び、Ｈ−ＰＣＲＦポリシー格納部１２２は、例えば、ディスク装置、半導体メモリ、等の記憶装置で構成される。
【００２４】
ネットワーク１３は、Ｖ−ＰＣＲＦ制御部１１１とＨ−ＰＣＲＦ制御部１２１を接続する。ネットワーク１３は、例えば、有線ネットワーク、無線ネットワーク、または、それらの組み合わせ、のいずれであってもよい。
【００２５】
移動端末装置１４は、当初は図示しないホームネットワークに加入しているが、ローミングの際に、訪問先ネットワーク１１のＶ−ＰＣＲＦ制御部１１１に接続する。移動端末装置１４は、例えば、携帯端末、コンピュータ端末で構成される。
【００２６】
接続装置１５は、Ｈ−ＰＣＲＦ制御部１２１に接続する。接続装置１５は、例えば、携帯端末、サーバで構成される。
【００２７】
移動通信システム１０では、訪問先ネットワーク１１に接続される移動端末装置１４とホームネットワーク１２に接続される接続装置１５が、Ｖ−ＰＣＲＦ制御部１１１とＨ−ＰＣＲＦ制御部１２１を介して接続する。
【００２８】
なお、Ｖ−ＰＣＲＦ制御部１１１、及び、Ｈ−ＰＣＲＦ制御部１２１は、コンピュータによって実現されてもよい。この場合、Ｖ−ＰＣＲＦ制御部１１１、及び、Ｈ−ＰＣＲＦ制御部１２１は、コンピュータであるＶ−ＰＣＲＦ制御部１１１、及び、Ｈ−ＰＣＲＦ制御部１２１のプロセッサが、図示されないメモリ上のプログラムを実行することで実現されてもよい。そのプログラムは、不揮発性メモリ、あるいは他の不揮発性記録媒体に格納され、プロセッサによって読み出され、メモリに格納されて実行されてもよい。
【００２９】
ところで、本実施形態の移動通信システム１０は、移動端末装置１４のローミング時において、次のように動作する。すなわち、ローミング先のＶ−ＰＣＲＦ制御部１１１は、ＣＣＲ（Ｃｒｅｄｉｔ  Ｃｏｎｔｒｏｌ  Ｒｅｑｕｅｓｔ：クレジット制御要求）を送信する。その要求に対してホーム側のＨ−ＰＣＲＦ制御部１２１は、ポリシー情報を含むＣＣＡ（Ｃｒｅｄｉｔ  Ｃｏｎｔｒｏｌ  Ａｎｓｗｅｒ：クレジット制御応答）をＶ−ＰＣＲＦ制御部１１１に送信する。ポリシー情報が許容されなかった場合、関連技術においてはループが発生する。しかし、移動通信システム１０のＶ−ＰＣＲＦ制御部１１１は、以降説明するネゴシエーションの確立方法を提供する。
【００３０】
図２は、ループが発生する場合の関連技術の移動通信システムの動作を示すタイムチャートである。すなわち、図２は、図３に示す実施形態の動作の説明の前に、関連技術における移動通信システムの課題を明確にするためのタイムチャートを示すものである。図２に示す各情報の先頭に付した番号（１）乃至（４）は、以降説明する項目の番号（１）乃至（４）と関連付けたものである。図２を使用する以下の関連技術の説明では、図１に示す移動通信システム１０の各構成要素をそのまま使用しているが、ループの発生の課題が解決されていない状態を仮定している。
【００３１】
（１）図１及び図２において、まず、Ｖ−ＰＣＲＦ制御部１１１は、Ｈ−ＰＣＲＦ制御部１２１に対して、ＣＣＲ（ＩＮＩ（Ｉｎｉｔｉａｌ：初期値））にて、Ｈ−ＰＣＲＦのポリシー情報の払い出し（読み出し）を要求する。
【００３２】
（２）次に、Ｈ−ＰＣＲＦ制御部１２１は、ＣＣＡ（ＩＮＩ）の情報の中の払い出し要求を用いて、Ｈ−ＰＣＲＦのポリシー情報をＨ−ＰＣＲＦポリシー格納部１２２から払い出す（読み出す）よう指示する。Ｈ−ＰＣＲＦ制御部１２１は、読み出したＨ−ＰＣＲＦのポリシー情報をＣＣＡ（ＩＮＩ）に含めてＶ−ＰＣＲＦ制御部１１１へ通知（送信）する。
【００３３】
（３）さらに、Ｈ−ＰＣＲＦ制御部１２１からＣＣＡ（ＩＮＩ）を受信したＶ−ＰＣＲＦ制御部１１１は、ＣＣＡ（ＩＮＩ）に含まれるポリシー情報とＶ−ＰＣＲＦポリシー格納部１１２に格納されるＶ−ＰＣＲＦのポリシー情報とを比較する。比較の結果、ＣＣＡ（ＩＮＩ）に含まれるポリシー情報が自身の許容しない（例えば、一致しない）ポリシー情報であった場合、Ｖ−ＰＣＲＦ制御部１１１は、エラーコードと共に自身の（Ｖ−ＰＣＲＦの）ポリシー情報をＶ−ＰＣＲＦポリシー格納部１１２から取得し、例えば、図４に示す形式のポリシー情報を生成する。そして、Ｖ−ＰＣＲＦ制御部１１１は、生成されたポリシー情報を再度ＣＣＲに乗せてＨ−ＰＣＲＦ制御部１２１に通知する（ＣＣＲ（Ｕｐｄ（Ｕｐｄａｔｅ：更新値）））。
【００３４】
（４）Ｈ−ＰＣＲＦ制御部１２１は、（３）においてＶ−ＰＣＲＦ制御部１１１から払い出されたＶ−ＰＣＲＦのポリシー情報に対して、（２）の場合と同様に、Ｈ−ＰＣＲＦポリシー格納部１２２から取得したＨ−ＰＣＲＦのポリシー情報を再度ＣＣＡに設定して送信する（ＣＣＡ（Ｕｐｄ））。
【００３５】
以降、図２に示すように、Ｖ−ＰＣＲＦ制御部１１１とＨ−ＰＣＲＦ制御部１２１のポリシー情報が合致せず、代替ポリシーが無い場合、（３）ＣＣＲ（Ｕｐｄ）に（４）ＣＣＡ（Ｕｐｄ）を返却するループが、継続的に発生する。
【００３６】
図３は、本発明の第一の実施形態に係る移動通信システム１０の動作の一例を示すタイムチャートである。
【００３７】
図３において、Ｈ−ＰＣＲＦ制御部１２１は、Ｖ−ＰＣＲＦ制御部１１１とのネゴシエーションを確立するために、図２の場合と異なり、Ｖ−ＰＣＲＦ制御部１１１から送信されたポリシー情報に基づいてＣＣＡを応答する。
【００３８】
なお、（１）〜（３）の動作は、図２と同じであるため、説明は省略する。
【００３９】
（４）Ｈ−ＰＣＲＦ制御部１２１は、Ｈ−ＰＣＲＦのポリシー情報の代わりに、Ｖ−ＰＣＲＦ制御部１１１で許容されるようなポリシー情報をＣＣＡに設定する。そのポリシー情報は、Ｖ−ＰＣＲＦ制御部１１１から払い出された、例えば、図４に示すＶ−ＰＣＲＦのポリシー情報に基づいた、ポリシー情報である。Ｈ−ＰＣＲＦ制御部１２１は、そのポリシー情報をＣＣＡ（Ｕｐｄ）に設定して返信する。なお、Ｖ−ＰＣＲＦのポリシー情報に基づいた情報は、Ｖ−ＰＣＲＦのポリシー情報と同じであってもよい。
【００４０】
（５）Ｖ−ＰＣＲＦ制御部１１１は、サブセッションに「ＲｅｌｅａｓｅＣａｕｓｅ」を設定しＲＡＲ（Ｒｅ−Ａｕｔｈ−Ｒｅｑｕｅｓｔ：承認要求）をＨ−ＰＣＲＦ制御部１２１に送信する。なお、「サブセッションにＲｅｌｅａｓｅＣａｕｓｅを設定」（図３では、「Ｓｕｂ−ｒｅｌ」と表記）は、例えば、「追加情報として、ＲＡＲを発信した原因を記述（原因コードを選択）する」ことを意味する。
【００４１】
（６）Ｈ−ＰＣＲＦ制御部１２１は、ＲＡＡ（Ｒｅ−Ａｕｔｈ−Ａｎｓｗｅｒ：承認返答）をＶ−ＰＣＲＦ制御部１１１に返すことで、ネゴシエーションを確立させる。
【００４２】
図４は、Ｖ−ＰＣＲＦポリシー格納部１１２が格納するポリシー情報の一例を示す図である。
【００４３】
図４は、エラーコードを含むＶ−ＰＣＲＦのポリシー情報の一例を示している。例えば、図４は、Ｈ−ＰＣＲＦのポリシー情報（図５に示す各ポリシー項目）に対して、「ＦＡＩＬＵＲＥ」等のＶ−ＰＣＲＦ制御部１１１の判定（エラーコード）の内容を追加し、さらに、自身の課金情報を載せたものである。なお、図４のポリシー情報の内容の詳細については、説明を省略する。また、図４には、ポリシー情報の一例を示しているが、ポリシー情報は、これに限定せず任意の内容を記述してよいものとする。
【００４４】
図５は、Ｈ−ＰＣＲＦポリシー格納部１２２が格納するポリシー情報の一例を示す図である。
【００４５】
図５は、Ｈ−ＰＣＲＦのポリシー情報の一例を示している。図５は、各ポリシー項目に対して、例えば、Ｘ、Ｙ、及び、Ｚを設定していることを示す。なお、図５のポリシー情報の内容の詳細については、説明を省略する。また、図５には、ポリシー情報の一例を示しているが、ポリシー情報は、これに限定せず任意の内容を記述してよいものとする。
【００４６】
図６は、移動通信システム１０の動作を示すフローチャートである。
【００４７】
まず、Ｖ−ＰＣＲＦ制御部１１１は、Ｈ−ＰＣＲＦ制御部１２１に対して、ＣＣＲにてＨ−ＰＣＲＦのポリシー情報の払い出しを要求する（ステップＳ０１）。
【００４８】
そして、Ｈ−ＰＣＲＦ制御部１２１は、ＣＣＡ（ＩＮＩ）を用いて、Ｈ−ＰＣＲＦポリシー格納部１２２から払い出したＨ−ＰＣＲＦのポリシー情報をＶ−ＰＣＲＦ制御部１１１へ通知する（ステップＳ０２）。
【００４９】
一方、Ｖ−ＰＣＲＦ制御部１１１は、Ｈ−ＰＣＲＦのポリシー情報を許容するか、確認する（ステップＳ０３）。
【００５０】
ポリシー情報を許容しない場合（ステップＳ０３でＮｏ）、Ｖ−ＰＣＲＦ制御部１１１は、エラーコードと共に自身のポリシー情報をＶ−ＰＣＲＦポリシー格納部１１２から取得し、再度ＣＣＲに乗せてＨ−ＰＣＲＦに通知する（ステップＳ０４）。
【００５１】
Ｈ−ＰＣＲＦ制御部１２１は、Ｖ−ＰＣＲＦ制御部１１１から払い出されたポリシー情報に基づいて、Ｖ−ＰＣＲＦ制御部１１１の許容するようなポリシー情報をＣＣＡに設定して送信する（ステップＳ０５）。
【００５２】
Ｖ−ＰＣＲＦ制御部１１１は、サブセッションに「ＲｅｌｅａｓｅＣａｕｓｅ」を設定しＲＡＲをＨ−ＰＣＲＦ制御部１２１に送信する（ステップＳ０６）。
【００５３】
Ｈ−ＰＣＲＦ制御部１２１は、ＲＡＡをＶ−ＰＣＲＦ制御部１１１に返すことで、ネゴシエーションを確立させる（ステップＳ０７）。
【００５４】
本実施形態に係る移動通信システム１０は、以下に記載するような効果を奏する。
【００５５】
その効果は、ローミング時において、ローミング先のＶ−ＰＣＲＦ制御部１１１とホーム側のＨ−ＰＣＲＦ制御部１２１においてループが発生することなくネゴシエーションが確立することである。
【００５６】
その理由は、Ｈ−ＰＣＲＦ制御部１２１が、Ｖ−ＰＣＲＦ制御部１１１に送信したポリシー情報が受領されず返却された場合、自身のポリシー情報ではなくＶ−ＰＣＲＦ制御部１１１から受領したポリシー情報に基づいた情報をＶ−ＰＣＲＦ制御部１１１に返却し、Ｖ−ＰＣＲＦ制御部１１１とのネゴシエーションを確立する、からである。
＜第二の実施形態＞
次に、本発明を実施するための第二の形態について図面を参照して詳細に説明する。
【００５７】
図７は、第二の実施形態に係る、移動通信システム２０の構成の一例を示すブロック図である。
【００５８】
移動通信システム２０は、訪問先ネットワーク２１、ホームネットワーク２２、及び、移動端末装置２３を包含する。
【００５９】
ホームネットワーク２２に加入している移動端末装置２３が、訪問先ネットワーク２１にローミングする。
【００６０】
訪問先ネットワーク２１は、Ｖ−ＰＣＲＦ制御部２１０を包含する。
【００６１】
ホームネットワーク２２は、Ｈ−ＰＣＲＦ制御部２２０を包含する。
【００６２】
Ｖ−ＰＣＲＦ制御部２１０は、訪問先ネットワーク２１のポリシー及び課金ルール機能であるＶ−ＰＣＲＦを制御する。
【００６３】
Ｈ−ＰＣＲＦ制御部２２０は、ホームネットワーク２２のポリシー及び課金ルール機能であるＨ−ＰＣＲＦを制御する。
【００６４】
Ｖ−ＰＣＲＦ制御部２１０がＨ−ＰＣＲＦのポリシー情報を許容しなかった場合、Ｈ−ＰＣＲＦ制御部２２０が、Ｈ−ＰＣＲＦのポリシー情報の代わりに、Ｖ−ＰＣＲＦのポリシー情報に基づいた情報をＶ−ＰＣＲＦ制御部２１０に返信し、Ｖ−ＰＣＲＦ制御部２１０とのネゴシエーションを確立する。
【００６５】
本実施形態に係る移動通信システム２０は、以下に記載するような効果を奏する。
【００６６】
その効果は、ローミング時において、ローミング先のＶ−ＰＣＲＦ制御部２１０とホーム側のＨ−ＰＣＲＦ制御部２２０においてループが発生することなくネゴシエーションが確立することである。
【００６７】
その理由は、Ｈ−ＰＣＲＦ制御部２２０が、Ｖ−ＰＣＲＦ制御部２１０に送信したポリシー情報が受領されず返却された場合、自身のポリシー情報ではなくＶ−ＰＣＲＦ制御部２１０から受領したポリシー情報に基づいた情報をＶ−ＰＣＲＦ制御部２１０に返却し、Ｖ−ＰＣＲＦ制御部２１０とのネゴシエーションを確立する、からである。
【００６８】
以上、図面を参照して本発明の実施形態を説明したが、本発明は上記実施形態に限定されるものではない。本発明の構成や詳細には、本発明のスコープ内で当業者が理解し得る様々な変更をすることができる。
【符号の説明】
【００６９】
１０    移動通信システム
１１    訪問先ネットワーク
１１０    訪問先装置
１１１    Ｖ−ＰＣＲＦ制御部
１１２    Ｖ−ＰＣＲＦポリシー格納部
１２    ホームネットワーク
１２０    ホーム側装置
１２１    Ｈ−ＰＣＲＦ制御部
１２２    Ｈ−ＰＣＲＦポリシー格納部
１３    ネットワーク
１４    移動端末装置
１５    接続装置
２０    移動通信システム
２１    訪問先ネットワーク
２１０    Ｖ−ＰＣＲＦ制御部
２２    ホームネットワーク
２２０    Ｈ−ＰＣＲＦ制御部
２３    移動端末装置
【図１】
2016048836.tif 000003
【図２】
2016048836.tif 000004
【図３】
2016048836.tif 000005
【図４】
2016048836.tif 000006
【図５】
2016048836.tif 000007
【図６】
2016048836.tif 000008
【図７】
2016048836.tif 000009